(57)【要約】【課題】この発明は、草刈り後などの集草作業で使用する熊手に複数本の掬い棒を設けることにより、草の集草と集めた草の塊を素早く掬える様に掬い棒を設けた熊手を提供する。【解決手段】長寸の丸棒状をなす把持棒１の端側に複数本の掻き爪３を櫛状に有する捕集治具５をＴ形に取付けてなる熊手７において、複数本（図においては４本）の丸棒９を複数箇所屈曲せしめて複数本の支持棒１１及び複数本の掬い棒１３を設け、熊手７の把持棒１の端側に複数本の支持棒１１の端側を集合せしめて固設し、かつ熊手７の捕集治具５の基部１５に複数本の支持棒１１を離間せしめて固設することにより熊手７の把持棒１の端側に複数本の掬い棒１３を設ける。【選択図】図２
2017070273.tif 000002
【特許請求の範囲】
【請求項１】
把持棒の端側に複数本の掻き爪を有する捕集治具を取付けてなる熊手において、複数本の棒を屈曲せしめて複数本の支持棒及び複数本の掬い棒を設け、前記把持棒の端側に前記複数本の支持棒の端側を集合せしめて固設しかつ前記捕集治具の基部に前記複数本の支持棒を離間せしめて固設することにより前記把持棒の端側に前記複数本の掬い棒を設けたことを特徴とする、掬い棒付き熊手。
【請求項２】
把持棒の端側に複数本の掻き爪を有する捕集治具を取付けてなる熊手において、複数本の棒を屈曲せしめて複数本の支持棒及び複数本の掬い棒を設け、装着部材に前記複数本の支持棒の端側を集合せしめて固設しかつ掛着部材に前記複数本の支持棒を離間せしめて固設することにより前記複数本の掬い棒を有する掬い治具を構成し、前記把持棒の端側及び前記捕集治具の基部に前記装着部材及び前記掛着部材を用いて前記掬い治具を具設したことを特徴とする、掬い治具付き熊手。
【請求項３】
複数本の棒を屈曲せしめて複数本の支持棒、複数本の掻き棒及び複数本の掬い棒を設け、前記複数本の掬い棒を夫々に離間せしめかつ把持棒の端側に前記複数本の支持棒の端側を集合せしめて固設することにより前記把持棒の端側に前記複数本の掻き棒及び前記複数本の掬い棒を設けたことを特徴とする、掻き棒及び掬い棒付き熊手。
【発明の詳細な説明】
【技術分野】
【０００１】この発明は、草刈り後などの集草作業で使用する熊手に複数本の掬い棒を設けることにより、草の集草と集めた草の塊を素早く掬える様に掬い棒を設けた熊手を提供する。
【背景技術】
【０００２】草刈後などの集草作業では主に熊手を使用します。しかし、通常の熊手は草を集める機能は優れているが、集めた草の塊を掬う作業には適していない。草の塊を掬う際には屈んで両手で掬う、熊手と手で挟んで掬う又は農用フォークなどで掬う必要がある。【０００３】特許文献１は、集草時に掻き棒先端の拡がり幅が調節可能な熊手であり、集草作業には適しているが、草の塊を掬う作業には適していない。
【先行技術文献】
【０００４】
【特許文献１】特開２００１−２２（Ｐ２００１−２２Ａ）
【発明の概要】
【発明が解決しようとする課題】
【０００５】草刈などの後に行う集草作業において熊手は最も適した農具であるが、熊手は集めた草の塊を掬う作業には適していない。けっか、草の塊を掬う際には、屈んで両手又は熊手と手で挟んで掬うなどの手作業が必要となり、膝痛、腰痛及び疲労を招きます。【０００６】また、掬い作業専用の農用フォークを使用すれば屈む姿勢を軽減できますが、集草作業と並行して農用フォークの移動及び熊手と農用フォークの頻繁な取替えなどの付随作業と農用フォークの購入が必要となり、作業能率の低下や費用の増加を招きます。【０００７】そこで本発明は、手による掬い作業又は農用フォークの使用時に発生する付随作業などを解消可能とする、掬い棒付き熊手を提供することを目的とする。
【課題を解決するための手段】
【０００８】第１発明に係る熊手は、把持棒の端側に複数本の掻き爪を有する捕集治具を取付けてなる熊手において、複数本の棒を屈曲せしめて複数本の支持棒及び複数本の掬い棒を設け、把持棒の端側に複数本の支持棒の端側を集合せしめて固設しかつ捕集治具の基部に複数本の支持棒を離間せしめて固設することにより把持棒の端側に複数本の掬い棒を設けたことを特徴とする。【０００９】第１発明の把持棒の端側に複数本の支持棒の端側を集合せしめて固設しとは、捕集治具に設けた取付け金具に支持棒の端側を集合せしめて固着する。または、長方形の金属片の至端に支持棒の端側を集合せしめて固着し、前記金属片の始端に穴を穿設しかつ把持棒にビスを設け、前記ビスを金属片の始端の穴に挿入してナットで螺設する。または、金属片の始端と把持棒をバンドで固設するものである。【００１０】第１発明の捕集治具の基部に複数本の支持棒を離間せしめて固設するとは、捕集治具の基部の上部に支持棒が挿入可能な穴を離間せしめて穿設し、支持棒を穴に挿入して固設する。または、捕集治具の基部の上部に凹みを離間せしめて設け、支持棒を凹みに配置して固着するものである。【００１１】また、第２発明に係る熊手は、把持棒の端側に複数本の掻き爪を有する捕集治具を取付けてなる熊手において、複数本の棒を屈曲せしめて複数本の支持棒及び複数本の掬い棒を設け、装着部材に複数本の支持棒の端側を集合せしめて固設しかつ掛着部材に複数本の支持棒を離間せしめて固設することにより複数本の掬い棒を有する掬い治具を構成し、把持棒の端側及び捕集治具の基部に装着部材及び掛着部材を用いて掬い治具を具設したことを特徴とする。【００１２】第２発明の把持棒の端側及び捕集治具の基部に装着部材並びに掛着部材を用いて掬い治具を具設しとは、装着部材の端側に穴を穿設しかつ把持棒にビスを設け、掬い治具の鍵型の係着部材を捕集治具の基部の窪みに係着し、把持棒のビスを装着部材の穴に挿入してナットで螺設する。または、装着部材の端側と把持棒をバンドで固設するものである。【００１３】さらに、第３発明に係る熊手は、複数本の棒を屈曲せしめて複数本の支持棒、複数本の掻き棒及び複数本の掬い棒を設け、複数本の掬い棒を夫々に離間せしめかつ把持棒の端側に複数本の支持棒の端側を集合せしめて固設することにより把持棒の端側に複数本の掻き棒及び複数本の掬い棒を設けたことを特徴とする。【００１４】第３発明の把持棒の端側に複数本の支持棒の端側を集合せしめて固設するとは、把持棒の端側に取付け金具を設け、前記取付け金具に夫々の支持棒の端側を固着するものである。
【発明の効果】
【００１５】以上詳述した如く第１発明に係る掬い棒付き熊手においては、把持棒の端側に複数本の掻き爪を有する捕集治具を取付けてなる熊手において、複数本の棒を屈曲せしめて複数本の支持棒及び複数本の掬い棒を設け、把持棒の端側に複数本の支持棒の端側を集合せしめて固設し、かつ捕集治具の基部に複数本の支持棒を離間せしめて固設することにより把持棒の端側に複数本の掬い棒を設けた形状としたから、把持棒の端側に設けた捕集治具の掻き爪により、草の集草が良好に行える。さらに、把持棒の端側に設けた複数本の掬い棒により、集草後の草の塊を立ち姿勢の状態で素早く掬える利点がある。したがって、草を屈んで掬うなどの手作業が不要となるので膝痛や腰痛の防止及び作業能率の向上が図れる。さらに、農用フォークの使用時に発生する付随作業及び農用フォークの購入なども不要である。【００１６】さらに、第２発明に係る掬い治具付き熊手においては、把持棒の端側に複数本の掻き爪を有する捕集治具を取付けてなる熊手において、複数本の棒を屈曲せしめて複数本の支持棒及び複数本の掬い棒を設け、装着部材に複数本の支持棒の端側を集合せしめて固設しかつ掛着部材に複数本の支持棒を離間せしめて固設することにより複数本の掬い棒を有する掬い治具を構成し、把持棒の端側及び捕集治具の基部に装着部材及び掛着部材を用いて掬い治具を具設した形状としたから、把持棒の端側に設けた捕集治具の掻き爪により、草の集草が良好に行える。さらに、把持棒端側に設けた掬い治具により、集草後の草の塊を立ち姿勢の状態で素早く掬える利点がある。そして、掬い治具を取り外すことにより土をほぐす、土をならす、草かきなど集草以外の作業も可能となる利点がある。【００１７】そして、第３の発明に係る掻き棒及び掬い棒付き熊手においては、複数本の棒を屈曲せしめて複数本の支持棒、複数本の掻き棒及び複数本の掬い棒を設け、複数本の掬い棒を夫々に離間せしめかつ把持棒の端側に複数本の支持棒の端側を集合せしめて固設することにより把持棒の端側に複数本の掻き棒及び複数本の掬い棒を設けた形状としたから、把持棒の端側に設けた掻き棒により、草の集草が良好に行える。さらに、把持棒端側に設けた掬い棒により、集草後の草の塊を立ち姿勢の状態で素早く掬える利点がある。そして、一本の丸棒より支持棒、掻き棒及び掬い棒を構成することにより、部品点数の削減による軽量化及び製造コスト並びに製造工数の削減が図れるなどの効果が有る。
【図面の簡単な説明】
【００１８】
【図１】捕集治具を固設した熊手の斜視図。
【図２】本発明に係る掬い棒付き熊手の斜視図。
【図３】掬い棒付き熊手の集草状態を示す斜視図。
【図４】掬い棒付き熊手の掬い状態を示す斜視図。
【図５】本発明に係る掬い治具の斜視図。
【図６】本発明に係る掬い治具付き熊手の斜視図。
【図７】本発明に係る掻き棒及び掬い棒付き熊手の斜視図。
【発明を実施するための形態】
【００１９】以下、本発明の第１実施の掬い棒付き熊手１７を図１及び図２に基づいて説明する。長寸の丸棒状をなす把持棒１の端側に複数本の掻き爪３を櫛状に有する捕集治具５をＴ形に取付けてなる熊手７において、複数本（図においては４本）の丸棒９を複数箇所屈曲せしめて複数本の支持棒１１及び複数本の掬い棒１３を設け、熊手７の把持棒１の端側に複数本の支持棒１１の端側を集合せしめて固設し、かつ熊手７の捕集治具５の基部１５に複数本の支持棒１１を離間せしめて固設することにより熊手７の把持棒１の端側に複数本の掬い棒１３を設けた掬い棒付き熊手１７である。なお、支持棒１１及び掬い棒１３の長さと、掻き爪３及び丸棒９の数は適宜に選定するのが望ましい。
【００２０】本発明は以上の構成からなるので、掬い棒付き熊手１７の使用方法を図３及び図４基づいて説明する。図３は、掬い棒付き熊手１７の捕集治具５で草を集草している状態を示す斜視図であり、集草作業方法について説明する。掬い棒付き熊手１７の把持棒１を両手で持ち、把持棒１の端側に取付けられた捕集治具５を前方の草１９に引っ掛けて捕集治具５を引き寄せることにより、草の塊１９ａが形成される。この間、集草作業中の把持棒１は腰程度の高さを移動するために、捕集治具５の基部１５より斜め上方に設けられた掬い棒１３は、掻き爪３の高さにより地面との接触を免れる。又、地面の凹凸により掬い棒１３が地面と接触した際も、掬い棒１３が地面を撫でる様に動くために集草作業を妨げない。
【００２１】図４は、掬い棒付き熊手１７で草を掬っている状態を示す斜視図であり、掬い作業方法について説明する。草の塊１９ａが手前に形成されると把持棒１を持ち上げ、掬い棒１３を草の塊１９ａより手前に置く。次に、掻き爪３の先端を支点として掬い棒１３が地面と平行になるように把持棒１を持ち上げる。さらに、掬い棒１３の先端を草の塊１９ａの下に当て、把持棒１を押して掬い棒１３を草の塊１９ａの下に挿入し、把持棒１を持ち上げて草の塊１９ａを掬い上げる。次に、掬った草の塊１９ｂを目的地（図では一輪車）まで運び、把持棒１を反転させて掬った草の塊１９ｂを落として掬い作業は終了する。けっか、掬い棒付き熊手１７は、立ち姿勢の状態で集草作業と掬い作業が素早く行えるなどの優れた特徴を示す。
【００２２】以下、本発明の第２実施の掬い治具付き熊手４０を図５及び図６に基づいて説明する。長寸の丸棒状をなす把持棒２１の端側に複数本の掻き爪２３を櫛状に有する捕集治具２５をＴ形に取付けてなる熊手２７において、複数本（図においては４本）の丸棒２９を複数箇所屈曲せしめて複数本の支持棒３１及び複数本の掬い棒３３を設け、装着部材３５に複数本の支持棒３１の端側を集合せしめて固設し、かつ鍵型を有する掛着部材３７に複数本の支持棒３１を離間せしめて固設することにより、複数本の掬い棒３３を有する掬い治具３９を構成し、把持棒２１の端側及び捕集治具２５の基部２６に装着部材３５及び掛着部材３７を用いて掬い治具３９を具設した掬い治具付き熊手４０である。なお、支持棒３１及び掬い棒３３の長さと、掻き爪２３及び丸棒２９の数は適宜に選定するのが望ましい。
【００２３】本発明は以上の構成からなるので、掬い治具３９の具設手順及び使用方法を図５、図６、図２及び図１に基づいて説明する。図５は、本発明に係る掬い治具３９の全体構成を示す斜視図である。図６は、熊手２７の把持棒２１の端側に掬い治具３９を具設した掬い治具付き熊手４０の斜視図であり、熊手２７に掬い治具３９を具設する方法を説明する。掬い治具３９の鍵型の係着部材３７を捕集治具２５の基部の窪み２８に係着し、掬い治具３９の装着部材３５を把持棒端側に固設することにより、掬い治具３９は熊手２７に容易に具設することが可能となる。
【００２４】集草機能と掬い機能の両方を有する掬い治具付き熊手４０は、第１の実施の掬い棒付き熊手１７と同様の使用方法が可能であり、集草作業と掬い作業が立ち姿勢の状態で素早く行えるなど優れた特徴を示す。さらに、前記の具設手順を逆に行って掬い治具３９を取り外せば、掬い治具付き熊手４０は図１で示す形態となり、土をほぐす、土をならす、草かきなど集草作業以外の作業も可能となり、活用範囲が広がるなどの特徴を示す。
【００２５】以下、本発明の第３実施の掻き棒及び掬い棒付き熊手５９を図７に基づいて説明する。複数本（図においては４本）の丸棒５１を複数箇所屈曲せしめて複数本の支持棒５３、複数本の掻き棒５５及び複数本の掬い棒５７を設け、複数本の掬い棒５７を夫々に離間せしめ、かつ長寸の丸棒状をなす把持棒６１の端側に複数本の支持棒５３の端側を集合せしめて固設することにより、把持棒６１の端側に複数本の掻き棒５５及び複数本の掬い棒５７を設けた掻き棒及び掬い棒付き熊手５９である。なお、支持棒５３、掻き棒５５及び掬い棒５７の長さと丸棒５１の数は適宜に選定するのが望ましい。
【００２６】本発明は以上の構成からなるので、特徴及び使用方法を図７及び図２に基づいて説明する。図７は、掻き棒及び掬い棒付き熊手５９の斜視図である。一本の丸棒より支持棒５３、掻き棒５５及び掬い棒５７を構成することにより軽量化が図れ、製造コスト及び製造工数の削減も図れる。掻き棒５５及び掬い棒付き熊手５９の使用方法は、第１実施の掬い棒付き熊手１７（図２）と同様の使用方法が可能で、集草作業と掬い作業が立ち姿勢の状態で素早く行える。さらに、軽量化による操作性の向上と疲労の軽減も図れるなどの優れた特徴を示す。
【符号の説明】
【００２７】１、２１、６１    把持棒
３、２３          掻き爪
５、２５          捕集治具
７、２７          熊手
９、２９、５１    丸棒
１１、３１、５３  支持棒
１３、３３、５７  掬い棒
１５、２６        基部
１７      掬い棒付き熊手
１９      草
１９ａ    草の塊
１９ｂ    掬った草の塊
２８      基部の窪み
３５      装着部材
３７      掛着部材
３９      掬い治具
４０      掬い治具付き熊手
５５      掻き棒
５９      掻き棒及び掬い棒付き熊手
【図１】
2017070273.tif 000003
【図２】
2017070273.tif 000004
【図３】
2017070273.tif 000005
【図４】
2017070273.tif 000006
【図５】
2017070273.tif 000007
【図６】
2017070273.tif 000008
【図７】
2017070273.tif 000009